(57)【要約】【課題】撮影時にフォーカシングスクリーンの凸凹形状及びフォーカシングスクリーンに付着した塵埃の写り込みを防止する撮像装置を提供する。【解決手段】フォーカシングスクリーン２０１を備えるＤＯＦアダプタ２００が取り付けられた撮像装置１００において、撮像素子１０１が出力する画像信号からコントラスト情報を検出し、検出したコントラスト情報のうち所定の閾値を超える画素に基づいてフォーカシングスクリーン２０１に付着した塵埃を検出し、検出された塵埃についてのコントラスト情報に基づいてフォーカシングスクリーン２０１を駆動するための制御量を決定し、決定された制御量を所定量で逓増させながらフォーカシングスクリーン２０１を駆動する。その際に検出された塵埃に関するコントラスト情報が所定の閾値を下回ったときの制御量を被写体の撮影時におけるフォーカシングスクリーン２０１を駆動する制御量とする。【選択図】図１
2014164105.tif 000002
【特許請求の範囲】
【請求項１】
撮像光学系を通して入射した被写体からの反射光を撮像素子に結像させて撮像を行う撮像装置であって、
前記撮像光学系の前面に配置されたフォーカシングスクリーンと、
前記フォーカシングスクリーンを駆動する駆動手段と、
前記撮像素子が出力する画像信号からコントラスト情報を検出する情報検出手段と、
前記情報検出手段が検出したコントラスト情報のうち所定の閾値を超える画素に基づいて前記フォーカシングスクリーンに付着した塵埃を検出する塵埃検出手段と、
前記塵埃検出手段が検出した塵埃について前記情報検出手段が検出したコントラスト情報に基づいて、前記駆動手段が前記フォーカシングスクリーンを駆動するための制御量を決定する制御量決定手段と、
前記制御量決定手段により決定された制御量を記憶する記憶手段と、
前記制御量決定手段が決定した制御量を所定量で逓増させながら前記駆動手段の駆動を制御し、前記塵埃検出手段が検出した塵埃に関して前記情報検出手段が検出したコントラスト情報が前記所定の閾値を下回ったときの制御量を前記記憶手段に記憶させる制御手段と、を備えることを特徴とする撮像装置。
【請求項２】
前記塵埃検出手段は、複数の前記塵埃を検出した場合に、前記複数の前記塵埃の中から最大の塵埃を基準塵埃として特定し、
前記制御量決定手段は、前記基準塵埃に関して前記情報検出手段が検出したコントラスト情報に基づいて前記制御量を決定することを特徴とする請求項１記載の撮像装置。
【請求項３】
前記制御量決定手段は、前記フォーカシングスクリーンの移動方向と移動量を前記制御量として規定することを特徴とする請求項１又は２に記載の撮像装置。
【請求項４】
動作モードとして、前記制御量を決定、記憶する制御量決定モードと、前記制御量に基づいて前記フォーカシングスクリーンを駆動しながら前記被写体を撮影する撮影モードとを備えることを特徴とする請求項１乃至３のいずれか１項に記載の撮像装置。
【請求項５】
前記撮影モードでは、前記制御手段は、前記撮像光学系の焦点距離とフォーカス位置を制御して、前記フォーカシングスクリーンの結像面に前記被写体のピントを合わせることを特徴とする請求項４記載の撮像装置。
【請求項６】
前記撮影モードでは、前記制御手段は、前記記憶手段に記憶された制御量を読み出し、前記被写体の撮影の開始と同時に、前記読み出した制御量で前記駆動手段による前記フォーカシングスクリーンの駆動制御を開始することを特徴とする請求項４又は５に記載の撮像装置。
【請求項７】
撮像装置に装着可能な周辺機器であって、
フォーカシングスクリーンと、
前記フォーカシングスクリーンと前記撮像装置の撮像光学系との間に配置されるリレー光学系と、
前記撮像装置との間で制御信号を送受信する通信手段と、
前記通信手段を介して前記撮像装置から前記フォーカシングスクリーンを駆動するための制御信号を受信し、前記制御信号に基づいて前記フォーカシングスクリーンを駆動する駆動手段と、を備えることを特徴とする周辺機器。
【請求項８】
前記駆動手段は、前記フォーカシングスクリーンを前記リレー光学系の光軸と直交する方向で移動させることを特徴とする請求項７記載の周辺機器。
【発明の詳細な説明】
【技術分野】
【０００１】
本発明は、撮像装置と、撮像装置に装着可能な周辺機器に関する。
【背景技術】
【０００２】
デジタル一眼レフカメラ等の撮像装置では、撮像光学系に設けられたローパスフィルタや固体撮像素子の結像面に塵埃等の異物が付着した状態で撮影を行うと、異物の付着点が黒点等として画像に写ってしまうという問題がある。
【０００３】
そこで、撮像装置の起動時に光軸方向と直交する方向に固体撮像素子を一定時間振動させて、固体撮像素子に付着した異物を振り落とする技術が知られている。また、ローパスフィルタを固体撮像素子の結像面と略平行な方向（光軸方向と直交する方向）に移動させて、異物の画像への写り込みを防止する技術が提案されている（特許文献１参照）。
【０００４】
一方、デジタルビデオカメラ等の撮像装置では、被写界深度の浅い映像を得るために、所謂、ＤＯＦアダプタを撮像光学系に取り付けたときに、ＤＯＦアダプタが備えるフォーカシングスクリーンを光軸方向と直交する方向に振動させる技術が知られている。これは、ＤＯＦアダプタのフォーカシングスクリーンの結像面は、結像した被写体像を拡散させるために磨り硝子のようなマット加工が施されているため、このマット面の凸凹形状がそのまま撮影されてしまうことを防止するためである。
【先行技術文献】
【特許文献】
【０００５】
【特許文献１】特開２００２−１０１３７号公報
【発明の概要】
【発明が解決しようとする課題】
【０００６】
しかしながら、上述したフォーカシングスクリーンを振動させる技術は、フォーカシングスクリーンの凸凹形状がそのまま撮影されることを防止することを目的としているため、塵埃がフォーカシングスクリーンに付着した場合の配慮がなされていない。即ちフォーカシングスクリーンに付着する塵埃は、フォーカシングスクリーンの凸凹形状に比べて一般的に大きいため、フォーカシングスクリーンの凸凹形状を基準とした振動量では、付着した塵埃の写り込みを防止若しくは緩和することができない。その結果、フォーカシングスクリーンに付着した様々な大きさの塵埃が撮影画像に映り込み、画像品位を低下させてしまう。これに対して、必要以上にフォーカシングスクリーンを振動させると、電力を無駄に消費することになってしまう。
【０００７】
本発明は、フォーカシングスクリーンを備える周辺機器を装着した状態で、フォーカシングスクリーンの凸凹形状の写り込みを防止すると共に、消費電力を抑えてフォーカシングスクリーンに付着した塵埃の写り込みを抑制することができる撮像装置を提供することを目的とする。
【課題を解決するための手段】
【０００８】
本発明に係る撮像装置は、撮像光学系を通して入射した被写体からの反射光を撮像素子に結像させて撮像を行う撮像装置であって、前記撮像光学系の前面に配置されたフォーカシングスクリーンと、前記フォーカシングスクリーンを駆動する駆動手段と、前記撮像素子が出力する画像信号からコントラスト情報を検出する情報検出手段と、前記情報検出手段が検出したコントラスト情報のうち所定の閾値を超える画素に基づいて前記フォーカシングスクリーンに付着した塵埃を検出する塵埃検出手段と、前記塵埃検出手段が検出した塵埃について前記情報検出手段が検出したコントラスト情報に基づいて、前記駆動手段が前記フォーカシングスクリーンを駆動するための制御量を決定する制御量決定手段と、前記制御量決定手段により決定された制御量を記憶する記憶手段と、前記制御量決定手段が決定した制御量を所定量で逓増させながら前記駆動手段の駆動を制御し、前記塵埃検出手段が検出した塵埃に関して前記情報検出手段が検出したコントラスト情報が前記所定の閾値を下回ったときの制御量を前記記憶手段に記憶させる制御手段と、を備えることを特徴とする。
【発明の効果】
【０００９】
本発明によれば、フォーカシングスクリーンの凸凹形状の写り込みを防止することができる。また、フォーカシングスクリーンに付着した塵埃の大きさに応じてフォーカシングスクリーンを移動させて塵埃の写り込みを抑制することにより、画像品位を向上させつつ、塵埃の写り込みを抑制する際の消費電力を低減することができる。
【図面の簡単な説明】
【００１０】
【図１】本発明の実施形態に係る撮像装置と、撮像装置に装着可能な周辺機器の一例であるＤＯＦアダプタの概略構成を示すブロック図である。
【図２】図１に示すＤＯＦアダプタが備えるフォーカシングスクリーンの撮影エリア内に塵埃が付着している様子を模式的に示す図と、塵埃が付着している画素位置でのコントラスト情報を模式的に示す図である。
【図３】図１に示すＤＯＦアダプタが備えるフォーカシングスクリーンを光軸と直交する面内において楕円軌道で振動させている様子を示す図と、塵埃が付着している画素位置でのコントラスト情報を模式的に示す図である。
【図４】図１に示す撮像装置によるフォーカシングスクリーンの制御量の決定から記憶に至る処理のフローチャートである。
【図５】図４のステップＳ４０２，４０８でそれぞれ表示されるメッセージ画面の例である。
【図６】図１に示すＤＯＦアダプタが備えるフォーカシングスクリーンの駆動を制御しながら被写体像を撮影する撮影モードでの処理のフローチャートである。
【発明を実施するための形態】
【００１１】
以下、本発明の実施形態について、添付図面を参照して詳細に説明する。図１は、本発明の実施形態に係る撮像装置１００と、撮像装置１００に装着可能な周辺機器の一例であるＤＯＦアダプタ２００の概略構成を示すブロック図である。
【００１２】
撮像装置１００は、撮像素子１０１、コントラスト情報検出部１０２、制御マイコン１０３、表示部１０４、モード選択部１０５、塵埃検出部１０６、スクリーン制御量決定部１０７、制御量記憶部１０８を有する。また、撮像装置１００は、第１の通信部１０９、レンズ駆動部１１０、撮像光学系１１１を有する。
【００１３】
撮像素子１０１は、撮像光学系１１１から入射した被写体からの反射光を電気信号に変換するＣＭＯＳセンサやＣＣＤセンサ等の光電変換素子である。コントラスト情報検出部１０２は、Ａ／Ｄ変換器等を含み、撮像素子１０１が出力する画像信号のうち撮影エリア内に対応する画像信号を抽出した後、撮影エリア内のコントラスト情報を検出する。制御マイコン１０３は、ＣＰＵやＲＡＭ等からなるマイクロコンピュ−タであり、撮像装置１００全体の駆動制御を行う。
【００１４】
表示部１０４は、例えば、液晶ディスプレイ（ＬＣＤ）又は有機ＥＬディスプレイであり、撮影画像や記録画像、撮像装置１００の動作条件等を設定するための各種の設定画面を表示する。モード選択部１０５は、ユーザがプッシュボタンや表示部１０４内に表示されたタッチパネル等の入力部を操作した入力結果に従い、ユーザが選択した設定値を制御マイコン１０３に通知する。塵埃検出部１０６は、コントラスト情報検出部１０２が検出した撮影エリア内のコントラスト情報から、予め設定された所定の閾値を超える画素、即ち、フォーカシングスクリーン２０１に付着した塵埃を検出する。そして、塵埃検出部１０６は、複数の塵埃を検出した場合には、検出した複数の塵埃のうち最大の塵埃を基準塵埃として特定する。ここで、所定の閾値は、撮影画像の品位を低下させると判断される限界値（最小値）であり、よって、所定の閾値を超えているコントラスト情報を有する塵埃は撮影画像の品位を低下させる可能性が極めて高い。
【００１５】
スクリーン制御量決定部１０７は、塵埃検出部１０６が特定した基準塵埃のコントラスト情報に基づき、ＤＯＦアダプタ２００が備える後述のフォーカシングスクリーン２０１の制御量を決定する。なお、フォーカシングスクリーン２０１の制御量とは、フォーカシングスクリーン２０１の符号付き移動量である。例えば、図２及び図３を参照して後述するように、水平方向１００画素×垂直方向１５０画素に相当する塵埃がフォーカシングスクリーンに付着している場合には、フォーカシングスクリーンの制御量を（Δｘ，Δｙ）＝（±５０，＋１５０）とする。
【００１６】
制御量記憶部１０８は、スクリーン制御量決定部１０７が決定したフォーカシングスクリーン２０１の制御量を記憶する。第１の通信部１０９は、撮像装置１００とＤＯＦアダプタ２００との間で制御信号を送受信し、金属からなる電気接点、着脱不可の通信ケーブル、着脱可能な通信ケーブル等で構成される。撮像光学系１１１は、撮像素子１０１に被写体像を結像させるための光学系であり、一般的にはリアフォーカスタイプのズームレンズが使用される。レンズ駆動部１１０は、撮像光学系１１１を構成する移動可能なレンズ群を駆動するものであり、ＤＣモータやステッピングモータ、超音波モータ等が用いられる。
【００１７】
撮像装置１００の撮像光学系の前面に配置されるＤＯＦアダプタ２００は、フォーカシングスクリーン２０１、スクリーン駆動部２０２、第２の通信部２０９、リレー光学系２１１、３５ｍｍ判写真レンズ２２１（以下「写真レンズ２２１」と記す）を有する。フォーカシングスクリーン２０１は、リレー光学系２１１に対向する面を結像面としており、この結像面には、結像した被写体像を拡散させるために磨り硝子のようなマット加工が施されている。一方、フォーカシングスクリーン２０１の写真レンズ２２１に対向する面には、フレネルレンズが形成されており、周辺光量落ちを防止している。
【００１８】
スクリーン駆動部２０２は、フォーカシングスクリーン２０１を写真レンズ２２１の光軸と直行する２軸方向に駆動し、例えば、ＤＣモータやムービングコイル又はムービングマグネット等で構成される。第２の通信部２０９は、ＤＯＦアダプタ２００が撮像装置１００に装着された状態で、ＤＯＦアダプタ２００と撮像装置１００との間で制御信号を送受信し、金属からなる電気接点、着脱不可の通信ケーブル、着脱可能な通信ケーブル等で構成される。
【００１９】
リレー光学系２１１は、撮像光学系１１１とフォーカシングスクリーン２０１との間に配置され、撮像光学系１１１のピントがフォーカシングスクリーン２０１に合うようにする。写真レンズ２２１は、例えば、焦点距離５０ｍｍ、開放Ｆ値１．４等の仕様を有する光学系であり、着脱可能であっても構わない。
【００２０】
次に、フォーカシングスクリーン２０１に塵埃が付着した状態での、塵埃とコントラスト情報との関係について具体的に説明する。図２（ａ）は、フォーカシングスクリーン２０１の撮影エリア内に塵埃２５０が付着している様子を模式的に示す図である。ここでは、塵埃２５０の大きさは、水平方向１００画素×垂直方向１５０画素の矩形エリアに相当するものとする。なお、図２（ａ）のようなフォーカシングスクリーン２０１に付着した塵埃２５０だけが強調される表示画像は、撮像装置１００を白壁や白紙等の一面が略白色の被写体を撮影することにより得られる。
【００２１】
図２（ｂ）は、図２（ａ）に示した２点鎖線に沿った画素位置でのコントラスト情報を模式的に示す図である。フォーカシングスクリーン２０１に付着した塵埃２５０のコントラスト情報は所定の閾値を超えているので、塵埃検出部１０６は、フォーカシングスクリーン２０１に付着した塵埃２５０を基準塵埃として特定する。
【００２２】
図３（ａ）は、フォーカシングスクリーン２０１を写真レンズ２２１の光軸と直交する面内で制御量（Δｘ，Δｙ）＝（±５０，＋１５０）の楕円軌道で振動させている様子を示す図である。また、図３（ｂ）は、図２（ｂ）と同様に、図３（ａ）に示した２点鎖線に沿った画素位置でのコントラスト情報を模式的に示す図である。
【００２３】
フォーカシングスクリーン２０１の制御量は、フォーカシングスクリーン２０１の移動方向と移動量とによって規定される。図３から、フォーカシングスクリーン２０１を楕円軌道で振動させることにより、所定の閾値を超えていたコントラスト情報が所定の閾値を下回るようになることがわかる。つまり、図３には、フォーカシングスクリーン２０１を移動させる方向を光軸と直交する面内方向として規定し、移動量を楕円軌道の関数で規定した結果を示している。
【００２４】
なお、フォーカシングスクリーン２０１の制御量は、所定の閾値を超えていた初期のコントラスト情報がフォーカシングスクリーン２０１を振動させることによって所定の閾値を下回るように設定すればよい。従って、ｘ方向とｙ方向の制御量を別々の関数を用いて決定してもよい。また、ｘ方向の制御量とｙ方向の制御量をそれぞれ、異なる塵埃から求めてもよい。
【００２５】
図４は、撮像装置１００によるフォーカシングスクリーン２０１の制御量の決定から記憶に至る処理のフローチャートである。図４のフローチャートに示す各処理は、制御マイコン１０３が所定のプログラムを実行することにより、撮像装置１００及びＤＯＦアダプタ２００の動作を制御することにより実現される。また、図５（ａ）は、図４のステップＳ４０２で表示部１０４に表示されるメッセージ画面の例であり、図５（ｂ）は、図４のステップＳ４０８で表示部１０４に表示されるメッセージ画面の例である。
【００２６】
先ず、制御マイコン１０３は、ステップＳ４０１において、ユーザによりフォーカシングスクリーン２０１の制御量を決定、記憶する動作モード（以下「制御量決定モード」という）が選択されたか否かを判定する。制御マイコン１０３は、制御量決定モードが選択された場合（Ｓ４０１でＹＥＳ）、処理をステップＳ４０２へ進め、制御量決定モードが選択されていない場合（Ｓ４０１でＮＯ）、本処理を終了させる。
【００２７】
ステップＳ４０２において、制御マイコン１０３は、撮像装置１００が有する表示部１０４に図５（ａ）に示すような「全白の被写体に向けて下さい」というメッセージ画面を表示し、ユーザに操作を促す。続くステップＳ４０３において、制御マイコン１０３は、表示部１０４に表示されたＯＫボタン（図５（ａ）参照）が押下された否かを判定する。制御マイコン１０３は、ＯＫボタンが押下された場合（Ｓ４０３でＹＥＳ）、処理をステップＳ４０４へ進め、ＯＫボタンが押下されていない場合（Ｓ４０３でＮＯ）、処理をステップＳ４０５へ進める。
【００２８】
ステップＳ４０４において、制御マイコン１０３は、コントラスト情報検出部１０２を通じて、撮影エリア内のコントラスト情報を検出する。一方、ステップＳ４０５において、制御マイコン１０３は、表示部１０４に表示されたキャンセルボタン（図５（ａ）参照）が押下されたか否かを判定する。制御マイコン１０３は、キャンセルボタンが押下された場合（Ｓ４０５でＹＥＳ）、処理を終了させ、キャンセルボタンが押下されていない場合（Ｓ４０５でＮＯ）、処理をステップＳ４０２へ戻す。
【００２９】
ステップＳ４０４の終了後のステップＳ４０６において、制御マイコン１０３は、塵埃検出部１０６を通じて、ステップＳ４０４で取得したコントラスト情報に基づいて、予め定められた所定の閾値を超えさせてしまう塵埃があるか否かを判定する。制御マイコン１０３は、所定の閾値を超えさせる塵埃がある場合（Ｓ４０６でＹＥＳ）、処理をステップＳ４０７へ進め、所定の閾値を超えさせる塵埃がない場合（Ｓ４０６でＮＯ）、処理をステップＳ４０８へ進める。
【００３０】
ステップＳ４０７において、制御マイコン１０３は、塵埃検出部１０６を通じて、所定の閾値を超えさせる塵埃を基準塵埃と定義する。一方、ステップＳ４０８において、制御マイコン１０３は、撮像装置１００が有する表示部１０４に図５（ｂ）に示すような「塵埃を検出できません」というメッセージ画面を表示する。ステップＳ４０８での表示後に、制御マイコン１０３は本処理を終了させる。
【００３１】
ステップＳ４０７の後のステップＳ４０９において、制御マイコン１０３は、スクリーン制御量決定部１０７を通じて、基準塵埃のコントラスト情報から制御量（Δｘ，Δｙ）を符号付きで算出する。続く、ステップＳ４１０において、制御マイコン１０３は、ステップＳ４０９で算出した制御量（Δｘ，Δｙ）に基づき、スクリーン駆動部２０２を通じてフォーカシングスクリーン２０１の駆動制御を開始する。その後のステップＳ４１１において、制御マイコン１０３は、スクリーン駆動部２０２を通じてフォーカシングスクリーン２０１を駆動制御した結果、基準塵埃に関するコントラスト情報が所定の閾値を下回ったか否かを、塵埃検出部１０６を通じて判定する。制御マイコン１０３は、基準塵埃に関するコントラスト情報が所定の閾値を下回った場合（Ｓ４１１でＹＥＳ）、処理をステップＳ４１２へ進め、基準塵埃に関するコントラスト情報が所定の閾値を下回っていない場合（Ｓ４１１でＮＯ）、処理をステップＳ４１３へ進める。
【００３２】
ステップＳ４１２において、制御マイコン１０３は、基準塵埃のコントラスト情報が所定の閾値を下回ったときの制御量を制御量記憶部１０８に記憶する。ステップＳ４１２の後、制御マイコン１０３は、本処理を終了させる。一方、ステップＳ４１３において、制御マイコン１０３は、今回の制御量（Δｘ，Δｙ）の各成分を所定量だけ逓増させて次回の制御量（Δｘ´，Δｙ´）とする。制御マイコン１０３は、ステップＳ４１３の後、処理をステップＳ４１０へ戻す。ここで、逓増させる所定量とは、例えば、ｘ方向はα、ｙ方向はβというようにそれぞれ異なる値であってもよいし、同じ値であってもよい。
【００３３】
図６は、フォーカシングスクリーン２０１の駆動を制御しながら被写体像を撮影する撮影モードでの処理のフローチャートである。図６のフローチャートに示す各処理は、制御マイコン１０３が所定のプログラムを実行することにより、撮像装置１００及びＤＯＦアダプタ２００の動作を制御することにより実現される。
【００３４】
ステップＳ６０１において、制御マイコン１０３は、スクリーン駆動部２０２を通じてフォーカシングスクリーン２０１を制御しながら被写体像を撮影する撮影モードが選択されたか否かを判定する。制御マイコン１０３は、この撮影モードが選択された場合（Ｓ６０１でＹＥＳ）、処理をステップＳ６０２へ進め、この撮影モードが選択されていない場合（Ｓ６０１でＮＯ）、本処理を終了させる。ステップＳ６０２において、制御マイコン１０３は、撮像装置１００の撮像光学系１１１の焦点距離とフォーカス位置を制御し、フォーカシングスクリーン２０１の結像面に撮像装置１００の焦点を合わせる。これにより、フォーカシングスクリーン２０１上の撮影エリアが、表示部１０４の画面全体に表示される。
【００３５】
ステップＳ６０２の後のステップＳ６０３において、制御マイコン１０３は、制御量記憶部１０８からフォーカシングスクリーン２０１の制御量を読み出し、フォーカシングスクリーン２０１の駆動準備を行う。続くステップＳ６０４において、制御マイコン１０３は、撮像装置１００の録画（撮影）が開始されたか否かを判定する。制御マイコン１０３は、録画が開始された場合（Ｓ６０４でＹＥＳ）、処理をステップＳ６０５へ進め、録画が開始されていない場合（Ｓ６０４でＮＯ）、録画が開始されるまで待機する。
【００３６】
ステップＳ６０５において、制御マイコン１０３は、録画の開始と同時にスクリーン駆動部２０２を通じてフォーカシングスクリーン２０１の駆動制御を開始する。これにより、本処理は終了となる。
【００３７】
以上に説明した通り、本実施形態に係るＤＯＦアダプタ２００が取り付けられた撮像装置１００では、フォーカシングスクリーン２０１に付着した塵埃の大きさに応じてフォーカシングスクリーンの移動量及び移動方向を決定している。そのため、塵埃の写り込みを抑制して、撮影画像の品位を向上させ、また、使用する消費電力を最小限に抑えることができ、同時に、フォーカシングスクリーン２０１の写り込みを防止することができる。
【００３８】
以上、本発明をその好適な実施形態に基づいて詳述してきたが、本発明はこれら特定の実施形態に限られるものではなく、この発明の要旨を逸脱しない範囲の様々な形態も本発明に含まれる。
【００３９】
本発明は以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００４０】
１００    撮像装置
１０２    コントラスト情報検出部
１０３    制御マイコン
１０４    表示部
１０６    塵埃検出部
１０７    フォーカシングスクリーン制御量決定部
１０８    制御量記憶部
２００    ＤＯＦアダプタ（周辺機器）
２０１    フォーカシングスクリーン
２０２    スクリーン駆動部
２２１    （３５ｍｍ判）写真レンズ
【図１】
2014164105.tif 000003
【図４】
2014164105.tif 000004
【図５】
2014164105.tif 000005
【図６】
2014164105.tif 000006
【図２】
2014164105.tif 000007
【図３】
2014164105.tif 000008